(57)【要約】      （修正有）【課題】セロハンテープカッター使用時に自動的に刃のカバーが上下してテープをカット出来る安全な刃用カバー付セロハンテープカッターを提供する。【解決手段】セロハンテープカッター本体１２の刃及びカバー取付部の側面に刃用ネジ止め穴を介して刃がネジ３によって止められ、一方下部にバネ部５、側面に前記ネジ３が貫通し上下に動くためのガイド穴１０、そして上部には刃出入り穴１３、引き出しカットされたセロハンテープ７を止めるためのガイド上面９及びガイド８が上面両サイドに設けられた刃用カバー２が前記刃及びカバー取付部に構成された事を特徴とする。このため、刃用カバーの底部分のバネにより、刃及びカバー取付部に刃用カバーを常に被せて刃を収納しているため、使用時セロハンテープを引き出してカットするという押し下げる動作でバネが縮み刃用カバーの上部の刃出入り穴から刃が出て来て切断し、切断後はバネが元に伸びて戻ることで刃用カバーが上がり刃が自動的に刃用カバー内に収納される。【選択図】図１
0003202942.tif 000002
【実用新案登録請求の範囲】
【請求項１】
セロハンテープカッター本体（１２）の刃及びカバー取付部（６）の側面に刃用ネジ止め穴（１１）を介して刃（４）がネジ（３）によって止められ、一方下部にバネ部（５）、側面に前記ネジ（３）が貫通し上下に動くためのガイド穴（１０）そして上部には刃出入り穴（１３）、引き出しカットされたセロハンテープ（７）を止めるためのガイド上面（９）及びガイド（８）が上面両サイドに設けられた刃用カバー（２）が前記刃及びカバー取付部（６）に構成された事を特徴とする刃用カバー付セロハンテープカッター（１）。
【考案の詳細な説明】
【技術分野】
【０００１】  本考案は、セロハンテープカッター使用時に自動的に刃のカバーが上下してテープをカット出来る安全な刃用カバー付セロハンテープカッターに関するものである。
【背景技術】
【０００２】  セロハンテープカッターの刃部分を使用しない際にセロハンテープカッター本体とヒンジで一体化したＬ字状の樹脂カバーで覆い、刃に触れてもケガをしないセロハンテープカッターが知られている。
【考案の概要】
【考案が解決しようとする課題】
【０００３】  前記セロハンテープカッター本体とヒンジで一体化したＬ字状の樹脂カバーからなるセロハンテープカッターによれば、使用する度に毎回Ｌ字状カバーを刃から脱着しなければならずその動作が手間のかかる課題が有った。
【課題を解決するための手段】
【０００４】  前記課題を解決するために本考案は、セロハンテープカッター本体（１２）の刃及びカバー取付部（６）の側面に刃用ネジ止め穴（１１）を介して刃（４）がネジ（３）によって止められ、一方下部にバネ部（５）、側面に前記ネジ（３）が貫通し上下に動くためのガイド穴（１０）そして上部には刃出入り穴（１３）、引き出しカットされたセロハンテープ（７）を止めるためのガイド上面（９）及びガイド（８）が上面両サイドに設けられた刃用カバー（２）が前記刃及びカバー取付部（６）に構成された事を特徴とする刃用カバー付セロハンテープカッター（１）とする。
【考案の効果】
【０００５】  本考案の刃用カバー付セロハンテープカッターは、以上のような構成であるため、刃用カバーの底部分がバネ構造となっており、セロハンテープカッター本体の刃及びカバー取付部に常に被せて刃を収納しているため、セロハンテープを引き出してカットするための押し下げる動作によりバネが縮んで刃用カバーの上部に有る刃出入り穴から刃が出て切断出来、切断後バネが伸びて刃用カバーが自動的に上がる事で刃が刃用カバー内に収納される一方、刃用カバー上部のガイド上面にセロハンテープ端面がくっついた状態となり、次回の使用時に備えてセロハンテープがすぐに摘める状態となる。【０００６】  もちろん使用しない場合は、バネにより刃用カバーが常に押し上げられているため刃が刃用カバー内に収納されており、何らかの拍子に刃に手や指が当たりケガする事のない安全性の高い効果が得られる。【０００７】  又、刃を止めているネジが刃用カバー側面に設けられたガイド穴を通って刃及びカバー取付部の側面に取り付けているため、このガイド穴を刃用カバーが上下に動くこととなるため、刃用カバーがセロハンテープカッター本体から外れる事の無いものとなる。【０００８】  ネジを外すだけで刃用カバーを取り外して刃を交換することも簡単に出来る優れたものとなる。
【図面の簡単な説明】
【０００９】
【図１】  本考案の一実施例を示す斜視図である。
【図２】  本考案の図１の刃及びカバー取付部の分解図である。
【図３】  本考案の刃及びカバー取付部において刃用カバーの取り付け手順の一例を示す部分拡大説明図である。
【図４】  本考案の刃及びカバー取付部の使用時の一例を示す部分拡大斜視図である。
【考案を実施するため形態】
【００１０】  本考案の刃用カバー付セロハンテープカッターの大きさ、デザイン、材質、製造方法等は特に限定されないが、セロハンテープを取付けるセロハンテープカッター本体は樹脂や重量の有る鋳物等で製造されるのが好ましい。
【００１１】  刃もステンレス製の鋸状のものやセラミックから出来た鋸状のギザギザの無いものでも良い。
【００１２】  刃及びカバー取付部に被せて構成する刃用カバーは大量生産に向くポリプロピレンやＡＢＳ樹脂等の樹脂成形品が好ましい。
【００１３】  更に刃カバーには底部に例えば成形の際にバネとなるようにハの字形のものを設けておくのが好ましい。もちろん刃用カバー上面にはセロハンテープを切るため、刃の出入り穴やガイドが上面の両サイドに設けておくのが好ましい。
【００１４】  一方でガイド上面はセロハンテープの有る側に勾配を付けておき、ネジが通るガイド穴の有る側の上部はＣ面にカットしておけばセロハンテープを押し下げてカットしやすくなる形態となる。
以下実施例と図に基づき説明する。
【実施例】
【００１５】  以下、本考案の一実施例を図１、図２、図３及び図４で説明するがこれによって本考案は何ら限定されるものではない。【００１６】  図１は、本考案の刃用カバー付セロハンテープカッター（１）を斜めから見た一例を示す斜視図である。セロハンテープカッター本体（１２）において、セロハンテープ（７）がセットされ、ガイド穴（１０）を通るネジ（３）にて刃出入り穴、ガイド（８）がガイド上面（９）の両サイドに２ヶ所設けられており、底部にはバネ部（５）を有する刃用カバー（２）が取り付けられている。【００１７】  図２は、図１の刃及びカバー取付部（６）部分を分解した図である。
まずは、セロハンテープカッター本体（１２）において凸形の刃及びカバー取付部（６）が設けられており、その側面にはネジ（３）によって止められるネジ止め穴（１１）が開いた刃（４）が取付けられ、その後に先述の刃用カバー（２）が被せられる。そして該刃用カバー（２）の側面に設けられたガイド穴（１０）を通ってネジ（３）が最後に止められる事となる。【００１８】  図３は、図２の取付け順序を拡大して示した説明のための斜視図である。この時、刃（４）を先にネジ（３）で止めるのではなく、刃（４）単体で刃及び取付部（６）側面に仮止めしておいてから刃用カバー（２）を先に被せる事が肝要である。その後でネジ（３）で止める事となる。【００１９】  図４は、図３で説明した刃用カバー（２）が刃及びカバー取付部（６）に取付けられ、セロハンテープ（７）がカットされる際に該刃用カバー（２）が押し下げられる事で、バネ部（５）が縮んで刃出入り穴に（１３）から刃（４）が出た状態を示している。もちろん刃（４）によりセロハンテープ（７）がカットされると該バネ部（５）が伸びて刃用カバー（２）が押し上げられ刃（４）が刃出入り穴（１３）から引っ込み刃用カバー（２）の内側に収納される事はいうまでもない。
【産業上の利用の可能性】
【００２０】  本考案の刃用カバー付セロハンテープカッターは、刃用カバーの底部分のバネ構造により、刃及びカバー取付部に刃用カバーを常に被せて刃を収納しているため、セロハンテープを引き出してカットするという押し下げる動作によりバネが縮み刃用カバーの上部の刃出入り穴から刃が出て来て切断し、切断後はバネが元に伸びて刃用カバーが上がる事で刃が自動的に刃用カバー内に収納され、カットされたセロハンテープの端面は、刃用カバー上部のガイド上面にくっついた状態となり、次回の使用時にセロハンテープをすぐに摘める事の出来る優れた刃用カバー付セロハンテープカッターとなる。
【符号の説明】
【００２１】１  刃用カバー付セロハンテープカッター
２  刃用カバー
３  ネジ
４  刃
５  バネ部
６  刃及びカバー取付部
７  セロハンテープ
８  ガイド
９  ガイド上面
１０  ガイド穴
１１  刃用ネジ止め穴
１２  セロハンテープカッター本体
１３  刃出入り穴
【図１】
0003202942.tif 000003
【図２】
0003202942.tif 000004
【図３】
0003202942.tif 000005
【図４】
0003202942.tif 000006